(57)【要約】      （修正有）【課題】流通過程における損傷が抑えられるドライフラワー組み立てキット及びその製造方法を提供する。【解決手段】ドライフラワー組み立てキットは、乾燥した茎１０と、茎１０から分離されることによって基端に第１の分離面２４（切断面）が形成され、先端に花２６をつけた乾燥した花部２０と、茎１０に形成され第１の分離面２４に対応する第２の分離面（切断面）１４に一方の側が挿入され、花部挿入穴を形成するための花部挿入穴形成針金５１と、前記第１の分離面２４に一方の側が挿入され、他方の側が花部挿入穴に差し込まれる花部固定針金５２と、を備える。【選択図】図１
2019081965.tif 000002
【特許請求の範囲】
【請求項１】
乾燥した茎と、
前記茎から分離されることによって基端に第１の分離面が形成され、先端に花をつけた乾燥した花部と、
前記第１の分離面に対応する、前記茎に形成された第２の分離面に一方の側が挿入され、花部挿入穴を形成するための花部挿入穴形成針金と、
前記第１の分離面に一方の側が挿入され、他方の側が前記花部挿入穴に差し込まれる花部固定針金と、を備えたドライフラワー組み立てキット。
【請求項２】
乾燥した茎と、
前記茎から分離されることによって基端に第１の分離面が形成され、先端に花を有する乾燥した花部と、
前記茎から分離された葉柄及び該葉柄の先端についた葉身を有する乾燥した葉部と、
前記第１の分離面に対応する、前記茎に形成された第２の分離面に一方の側が挿入され、花部挿入穴を形成するための花部挿入穴形成針金と、
前記第１の分離面に一方の側が挿入され、他方の側が前記花部挿入穴に差し込まれる花部固定針金と、
前記茎に一方の側が挿入され、前記葉柄が挿入される葉部挿入穴を形成するための葉部挿入穴形成針金と、を備えたドライフラワー組み立てキット。
【請求項３】
先端に花がついた花柄を途中で切断し、該花柄を花の側となる第１の花柄部と茎の側となる第２の花柄部とに分離する分離工程と、
前記第１の花柄部の第１の分離面及び前記第２の花柄部の第２の分離面にそれぞれ花部固定針金及び花部挿入穴形成針金を挿入する挿入工程と、
乾燥剤の中に前記花及び前記茎を入れて乾燥させる乾燥工程と、を含むドライフラワー組み立てキットの製造方法。
【請求項４】
請求項３記載のドライフラワー組み立てキットの製造方法において、
前記乾燥工程の後、前記花挿入穴形成針金を一旦抜いて再び挿入する挿抜工程を更に含むドライフラワー組み立てキットの製造方法。
【請求項５】
請求項３又は４記載のドライフラワー組み立てキットの製造方法において、
前記乾燥工程の後、前記花を構成する花びらの根本を補修する成形工程を更に含むドライフラワー組み立てキットの製造方法。
【発明の詳細な説明】
【技術分野】
【０００１】
本発明は、ドライフラワー組み立てキット及びその製造方法に関する。
【背景技術】
【０００２】
特許文献１には、人工観葉植物が記載されている。この人工観葉植物は、部品と付属品を再生材料で作製して、更に部品と付属品の各表面に光触媒作用を有する酸化チタン粒子と無機質又は無機質に変換したバインダーとの組成物の薄層を設けて、立体的に組み立てる構造となっている。
【先行技術文献】
【特許文献】
【０００３】
【特許文献１】特開２００３−１２９３２０号公報
【発明の概要】
【発明が解決しようとする課題】
【０００４】
本発明は、流通過程における損傷が抑えられるドライフラワー組み立てキット及びその製造方法を提供することを目的とする。
【課題を解決するための手段】
【０００５】
前記目的に沿う第１の発明に係るドライフラワー組み立てキットは、乾燥した茎と、
前記茎から分離されることによって基端に第１の分離面が形成され、先端に花をつけた乾燥した花部と、
前記第１の分離面に対応する、前記茎に形成された第２の分離面に一方の側が挿入され、花部挿入穴を形成するための花部挿入穴形成針金と、
前記第１の分離面に一方の側が挿入され、他方の側が前記花部挿入穴に差し込まれる花部固定針金と、を備える。
【０００６】
前記目的に沿う第２の発明に係るドライフラワー組み立てキットは、乾燥した茎と、
前記茎から分離されることによって基端に第１の分離面が形成され、先端に花を有する乾燥した花部と、
前記茎から分離された葉柄及び該葉柄の先端についた葉身を有する乾燥した葉部と、
前記第１の分離面に対応する、前記茎に形成された第２の分離面に一方の側が挿入され、花部挿入穴を形成するための花部挿入穴形成針金と、
前記第１の分離面に一方の側が挿入され、他方の側が前記花部挿入穴に差し込まれる花部固定針金と、
前記茎に一方の側が挿入され、前記葉柄が挿入される葉部挿入穴を形成するための葉部挿入穴形成針金と、を備える。
【０００７】
前記目的に沿う第３の発明に係るドライフラワー組み立てキットの製造方法は、先端に花がついた花柄を途中で切断し、該花柄を花の側となる第１の花柄部と茎の側となる第２の花柄部とに分離する分離工程と、
前記第１の花柄部の第１の分離面及び前記第２の花柄部の第２の分離面にそれぞれ花部固定針金及び花部挿入穴形成針金を挿入する挿入工程と、
乾燥剤の中に前記花及び前記茎を入れて乾燥させる乾燥工程と、を含む。
【０００８】
第３の発明に係るドライフラワー組み立てキットの製造方法において、
前記乾燥工程の後、前記花挿入穴形成針金を一旦抜いて再び挿入する挿抜工程を更に含むことが好ましい。
【０００９】
第３の発明に係るドライフラワー組み立てキットの製造方法において、
前記乾燥工程の後、前記花を構成する花びらの根本を補修する成形工程を更に含むことが好ましい。
【発明の効果】
【００１０】
本発明によれば、流通過程における損傷が抑えられるドライフラワー組み立てキット及びその製造方法を提供できる。
【図面の簡単な説明】
【００１１】
【図１】（Ａ）〜（Ｃ）は、本発明の一実施の形態に係るドライフラワー組み立てキットの説明図である。
【図２】同ドライフラワー組み立てキットの組み立て手順１を示す説明図である。
【図３】同ドライフラワー組み立てキットの組み立て完成図である。
【図４】同ドライフラワー組み立てキットの製造工程を示すフローチャートである。
【発明を実施するための形態】
【００１２】
続いて、添付した図面を参照しつつ、本発明を具体化した実施の形態につき説明し、本発明の理解に供する。なお、図において、説明に関連しない部分は図示を省略する場合がある。
【００１３】
本発明の一実施の形態に係るドライフラワー組み立てキットは、例えばバラのドライフラワーの組み立てキットである。ドライフラワー組み立てキットは、図１（Ａ）〜図１（Ｃ）に示すように、それぞれ分離され乾燥した茎１０、花部２０、及び葉部３０を備えている。
【００１４】
茎１０は、図１（Ａ）に示すように、花柄１２を有している。花柄（第２の花柄部の一例）１２は途中で切断され先端側が分離されている。花柄１２の切断された部分には切断面（第２の分離面の一例）１４が形成されている。
茎１０には葉部３０が一部残っていてもよい。
【００１５】
花部２０は、図１（Ｂ）に示すように、花柄２２の途中で切断され、茎１０から分離されている。
花部２０は、途中で切断された花柄（第１の花柄部の一例）２２、及び花柄２２の先端についた花２６を有している。
花柄の基端には、切断面（第１の分離面の一例）２４が形成されている。
【００１６】
葉部３０は、図１（Ｃ）に示すように、茎１０から延びていた葉柄３２及び葉柄３２の先端についた葉身３６を有している。葉部３０は、葉柄３２の根本にて茎１０から切断され分離される。葉柄３２の先端は、鋭角となるように切断されている。
【００１７】
ドライフラワー組み立てキットは、花部挿入穴形成針金５１、花部固定針金５２、及び葉部挿入穴形成針金５３を更に備えている。
【００１８】
花部挿入穴形成針金５１は、例えば真鍮製の針金である。花部挿入穴形成針金５１は、図１（Ａ）に示すように、茎１０の花柄１２に形成された、切断面２４（図１（Ｂ）参照）に対応する切断面１４に一方の側が挿入されている。
【００１９】
花部固定針金５２は、例えばステンレス製の針金である。花部固定針金５２は、図１（Ｂ）に示すように、花部２０の花柄２２に形成された切断面２４に一方の側が挿入されている。
【００２０】
葉部挿入穴形成針金５３は、例えば真鍮製の針金である。葉部挿入穴形成針金５３は、茎１０から取り除かれた葉部３０があった場所に一方の側が挿入されている。ただし、葉部挿入穴形成針金５３が挿入される場所は、葉部３０の葉柄３２があった場所に限定されるものではなく、茎１０の任意の場所であってもよい。
【００２１】
次に、ドライフラワー組み立てキットの組み立て手順について説明する。
（組み立て手順１）
ドライフラワー組み立てキットを入手した利用者が、図２に示すように、茎１０から花部挿入穴形成針金５１及び葉部挿入穴形成針金５３を抜き取る。そうすると、花部挿入穴形成針金５１及び葉部挿入穴形成針金５３が挿入されていた場所に、それぞれ、花部挿入穴（不図示）及び葉部挿入穴Ｈ１０が形成される。
【００２２】
（組み立て手順２）
利用者が、花部２０の花柄２２に刺さった花部固定針金５２（図１（Ｂ）参照）に接着剤を塗布する。また、利用者が、葉部３０の葉柄３２（図１（Ｃ）参照）の先端に接着剤を塗布する。
なお、接着剤は、乾燥した状態で透明となる接着剤が好ましく、例えば瞬間接着剤又は木工用ボンドである。
【００２３】
（組み立て手順３）
利用者が、花部挿入穴（不図示）に花部２０についている花部固定針金５２を挿入し、花２６の向きを整える。また、利用者が、葉部挿入穴Ｈ１０に葉部３０の葉柄３２の先端を挿入し、葉身３６の向きを整える。
【００２４】
（組み立て手順４）
接着剤が乾燥すると、図３に示すように、ドライフラワー６０が完成する。
【００２５】
次に、ドライフラワー組み立てキットの製造方法について説明する。
ドライフラワー組み立てキットは、図４に示す以下の工程Ｓ１〜Ｓ６に従って製造される。なお、可能な場合には、各工程は順番を入れ替えて実行されてもよいし、並行して実行されてもよい。
【００２６】
（分離工程Ｓ１）
バラの生花を準備し、茎から花部２０及び葉部３０を分離する。
花部２０は、先端にバラの花がついた花柄を途中で切断し、花２６の側となる花柄２２と茎１０の側となる花柄１２とに分離することで、茎１０から分離される。
葉部３０は、葉柄３２の根本部分が切断されることで、茎１０から分離される。
【００２７】
（挿入工程Ｓ２）
花部２０の側の花柄２２の切断面２４に、花部固定針金５２を挿入する。
茎１０の側の花柄１２の切断面１４に、花部挿入穴形成針金５１を挿入する。また、茎１０の葉部３０がついていた場所に葉部挿入穴形成針金５３を挿入する。
【００２８】
（乾燥工程Ｓ３）
花部固定針金５２が刺さった花部２０、葉部３０、並びに花部挿入穴形成針金５１及び葉部挿入穴形成針金５３が刺さった茎１０をそれぞれ異なる容器に入れ、各容器に乾燥剤を充填して放置する。
乾燥剤は、シリカゲルと、ミネラルオイル及び酢酸トコフェロールを成分として含有するベビーオイルと、１〜２ｍｍ角程度の小片に切断された、乾燥したヒノキの葉と、を含んでいる。なお、乾燥剤は、加熱したシリカゲルにベビーオイルを加えて撹拌し、これにヒノキの葉を加えて冷却することで製造される。
この乾燥剤を用いて茎１０、花部２０、及び葉部３０が乾燥されることにより、乾燥後の茎１０、花部２０、及び葉部３０が再び湿気を吸着して変形してしまうことが抑制され、より長い期間にわたって形状が維持される。
【００２９】
なお、茎１０の乾燥時間はその太さに応じて設定され、７〜１０日である。
花部２０の乾燥時間は、変色を抑制するために１０日を超えないことが好ましく、例えば７日〜１０日である。
葉部３０の乾燥時間は、３〜４日である。
【００３０】
（成形工程Ｓ４）
乾燥後、葉部３０の葉柄３２の根本をニッパーにて鋭角になるように切断する。
また、花部２０を乾燥剤が入った容器から出したり、付着したシリカゲルを落としたりする際に、花びらの根本が弱くなっていたり、花びら自体が取れてしまったりした場合は、その部分を接着剤にて補修する。
接着剤は、例えばマニキュアである。接着剤としてマニキュアを使用することで、花２６の変色が抑えられる。
なお、本成形工程Ｓ４は、挿抜工程Ｓ５の後に実施されてもよい。
【００３１】
（挿抜工程Ｓ５）
乾燥した茎１０に刺さっている花部挿入穴形成針金５１及び葉部挿入穴形成針金５３をそれぞれ一旦抜いて、再度挿入する。これにより、ドライフラワー組み立てキットを入手した利用者が、組み立ての際に花部挿入穴形成針金５１及び葉部挿入穴形成針金５３を抜きやすくなる。
【００３２】
（出荷工程Ｓ６）
乾燥した茎１０、花部２０、及び葉部３０を梱包し、出荷する。茎１０、花部２０、及び葉部３０がそれぞれ分解されているので、組み立て式ではないドライフラワーと比較して梱包が容易である。
【００３３】
すなわち、ドライフラワー組み立てキットによれば、組み立て式ではないドライフラワーと比較して、流通過程において、例えば茎１０が折れてしまうなどの損傷が抑えられる。
【００３４】
以上、本発明の実施の形態を説明したが、本発明は、上記した形態に限定されるものでなく、要旨を逸脱しない条件の変更等は全て本発明の適用範囲である。
ドライフラワーの種類はバラに限定されるものではなく、例えばカーネーションや菊であってもよい。
【符号の説明】
【００３５】
１０  茎
１２  花柄
１４  切断面
２０  花部
２２  花柄
２４  切断面
２６  花
３０  葉部
３２  葉柄
３６  葉身
５１  花部挿入穴形成針金
５２  花部固定針金
５３  葉部挿入穴形成針金
６０  ドライフラワー
Ｈ１０  葉部挿入穴
【図１】
2019081965.tif 000003
【図２】
2019081965.tif 000004
【図３】
2019081965.tif 000005
【図４】
2019081965.tif 000006